(57)【要約】      （修正有）【課題】低遅延通信を実現する制御装置及び制御方法を提供する。【解決手段】ＳＤＮ−Ｃ（Ｓｏｆｔｗａｒｅ  Ｄｅｆｉｎｅｄ  Ｎｅｔｗｏｒｋｉｎｇ−  Ｃｏｎｔｒｏｌｌｅｒ）１２は、互いに通信を行う複数のＵＥ（通信端末）１０ａ〜１０ｅ間の通信を制御する制御装置であって、複数のｅＮＢ（ｅｖｏｌｖｅｄ  Ｎｏｄｅ  Ｂ）１１ａ〜１１ｄ間の接続関係を記憶する記憶部と、複数のＵＥ１０ａ〜１０ｅそれぞれが利用するｅＮＢであるｅＮＢ１１ａ〜１１ｄを示す情報を取得する取得部と、記憶部が記憶する接続関係と取得部が取得したｅＮＢ１１ａ〜１１ｄを示す情報とに基づいて、ｅＮＢ１１ａ〜１１ｄ間を結ぶトンネルＴＬを設定する設定部を備える。【選択図】図１
2017017375.tif 000002
【特許請求の範囲】
【請求項１】
互いに通信を行う複数の通信端末間の通信を制御する制御装置であって、
複数の無線基地局相互の接続関係を記憶する記憶手段と、
前記複数の通信端末それぞれが利用する無線基地局である利用無線基地局を示す情報を取得する取得手段と、
前記記憶手段が記憶する前記接続関係と、前記取得手段が取得した前記利用無線基地局を示す情報とに基づいて、前記利用無線基地局間を結ぶ仮想回線をセットする設定手段と、を備える制御装置。
【請求項２】
前記設定手段は、前記利用無線基地局間の通信における経路を示す情報を、前記利用無線基地局に設定することにより、仮想回線をセットする、請求項１記載の制御装置。
【請求項３】
前記設定手段は、通信端末から一の利用無線基地局に向かって送信される無線フレームの無線チャネルと、当該一の利用無線基地局の対向の利用無線基地局を示す情報とを対応付けたマッピング情報を、当該一の利用無線基地局に設定する、請求項２記載の制御装置。
【請求項４】
前記設定手段は、前記利用無線基地局間の通信における経路を示す情報を、前記利用無線基地局間を中継する装置である中継装置に設定することにより、仮想回線をセットする、請求項２又は３記載の制御装置。
【請求項５】
前記取得手段は、一の通信端末から該一の通信端末と通信を行う対向の通信端末に対して接続要求があった場合に、該一の通信端末及び該対向の通信端末の利用無線基地局を示す情報を取得し、
前記設定手段は、前記一の通信端末の利用無線基地局と前記対向の通信端末の利用無線基地局とを結ぶ仮想回線をセットする、請求項１〜４のいずれか一項記載の制御装置。
【請求項６】
前記取得手段は、通信端末が利用する前記利用無線基地局の変更要求があった場合に、変更後の利用無線基地局を示す情報を取得し、
前記設定手段は、変更後の利用無線基地局間を結ぶ仮想回線をセットする、請求項１〜５のいずれか一項記載の制御装置。
【請求項７】
前記取得手段は、通信端末が利用する前記利用無線基地局の変更要求があった場合に、変更前後の利用無線基地局を示す情報を取得し、
前記設定手段は、前記変更前後の利用無線基地局間を結ぶ転送用の仮想回線をセットした後に、変更後の利用無線基地局間を結ぶ仮想回線をセットする、請求項６記載の制御装置。
【請求項８】
互いに通信を行う複数の通信端末間の通信を制御する制御方法であって、
複数の無線基地局相互の接続関係に関する情報と、
前記複数の通信端末それぞれが利用する無線基地局である利用無線基地局を示す情報とに基づいて、前記利用無線基地局間を結ぶ仮想回線をセットする制御方法。
【請求項９】
前記利用無線基地局間の通信における経路を示す情報を、前記利用無線基地局に設定することにより、仮想回線をセットする、請求項８記載の制御方法。
【請求項１０】
通信端末から一の利用無線基地局に向かって送信される無線フレームの無線チャネルと、当該一の利用無線基地局の対向の利用無線基地局を示す情報とを対応付けたマッピング情報を、当該一の利用無線基地局に設定する、請求項９記載の制御方法。
【発明の詳細な説明】
【技術分野】
【０００１】
本発明は、通信端末間の通信制御に係る制御装置及び制御方法に関する。
【背景技術】
【０００２】
スマートフォンの登場等に伴い、モバイルブロードバンドサービスの発展が進んでいる。モバイルブロードバンドサービスでは、従来、クライアント‐サーバ接続を想定して経路制御を行っている。すなわち、通信端末間の通信は、インターネット等の外部のネットワークに接続するための交換機であるＰ−ＧＷ（Packet Data Network Gateway）を経由して行われている（例えば、特許文献１参照）。
【先行技術文献】
【特許文献】
【０００３】
【特許文献１】特開２０１４−２２５７２１号公報
【発明の概要】
【発明が解決しようとする課題】
【０００４】
近年、Pointto Point（Ｐ２Ｐ）通信に対するニーズの高まり等により、従来と比べて低遅延な通信の提供が求められている。しかしながら、現状のネットワークでは、通信端末間の通信において、必ずＰ−ＧＷを経由するように経路制御が行われているため、通信の低遅延化を十分に実現することができていない。
【０００５】
本発明は上記実情に鑑みてなされたものであり、低遅延通信を実現可能な制御装置及び制御方法を提供することを目的とする。
【課題を解決するための手段】
【０００６】
本発明の一態様に係る制御装置は、互いに通信を行う複数の通信端末間の通信を制御する制御装置であって、複数の無線基地局相互の接続関係を記憶する記憶手段と、複数の通信端末それぞれが利用する無線基地局である利用無線基地局を示す情報を取得する取得手段と、記憶手段が記憶する前記接続関係と、取得手段が取得した利用無線基地局を示す情報とに基づいて、利用無線基地局間を結ぶ仮想回線をセットする設定手段と、を備える。
【０００７】
この制御装置では、予め記憶された無線基地局相互の接続関係と、取得された複数の通信端末それぞれが利用する無線基地局である利用無線基地局を示す情報とに基づき、当該利用無線基地局間の仮想回線が設定される。無線基地局間の仮想回線が設定されることにより、当該仮想回線を利用して、複数の通信端末間の通信を行うことが可能となる。当該仮想回線が利用されることにより、インターネット等の外部のネットワークに接続するための交換機を経由して通信が行われる場合と比較して、複数の通信端末間の通信経路を短縮化することができる。このことで、通信端末間の通信を低遅延で実現することができる。
【０００８】
また、設定手段は、利用無線基地局間の通信における経路を示す情報を、利用無線基地局に設定することにより、仮想回線をセットしてもよい。これにより、利用無線基地局間を結ぶ仮想回線を確実に設定することができる。
【０００９】
また、設定手段は、通信端末から一の利用無線基地局に向かって送信される無線フレームの無線チャネルと、当該一の利用無線基地局の対向の利用無線基地局を示す情報とを対応付けたマッピング情報を、当該一の利用無線基地局に設定してもよい。これにより、通信端末から送信される無線フレームの無線チャネルに応じて仮想回線が設定されるので、仮想回線を利用した通信端末間の通信を確実に実現することができる。また、マッピング情報が設定されることにより、同一の利用無線基地局を利用する通信端末間で通信が行われる場合には、当該利用無線基地局で折り返すようにして通信端末間の通信を行うことが可能となる。このことにより、通信端末間の通信をより低遅延で実現することができる。
【００１０】
また、設定手段は、利用無線基地局間の通信における経路を示す情報を、利用無線基地局間を中継する装置である中継装置に設定することにより、仮想回線をセットしてもよい。これにより、利用無線基地局間に中継装置が設けられている構成においても、利用無線基地局間を結ぶ仮想回線を確実に設定することができる。
【００１１】
また、取得手段は、一の通信端末から該一の通信端末と通信を行う対向の通信端末に対して接続要求があった場合に、該一の通信端末及び該対向の通信端末の利用無線基地局を示す情報を取得し、設定手段は、一の通信端末の利用無線基地局と対向の通信端末の利用無線基地局とを結ぶ仮想回線をセットしてもよい。これにより、複数の通信端末間で通信が開始される際に仮想回線が設定されることとなる。このことで、複数の通信端末間の通信において、確実に仮想回線を利用することができる。
【００１２】
また、取得手段は、通信端末が利用する利用無線基地局の変更要求があった場合に、変更後の利用無線基地局を示す情報を取得し、設定手段は、変更後の利用無線基地局間を結ぶ仮想回線をセットしてもよい。これにより、ハンドオーバが発生した場合においても、適切に新たな仮想回線をセットすることができる。
【００１３】
また、取得手段は、通信端末が利用する利用無線基地局の変更要求があった場合に、変更前後の利用無線基地局を示す情報を取得し、設定手段は、変更前後の利用無線基地局間を結ぶ転送用の仮想回線をセットした後に、変更後の利用無線基地局間を結ぶ仮想回線をセットしてもよい。これにより、ハンドオーバが発生した場合において、ハンドオーバ前の利用無線基地局からハンドオーバ後の利用無線基地局へデータを転送する仮想回線が設定された後に、ハンドオーバ後の利用無線基地局間に新たな仮想回線が設定されることとなる。データを転送する仮想回線が設定されることにより、ハンドオーバに伴って仮想回線が切り替わる場合においても、通信端末間のデータ通信を確実に行うことができる。
【００１４】
本発明の一態様に係る制御方法は、互いに通信を行う複数の通信端末間の通信を制御する制御方法であって、複数の無線基地局相互の接続関係に関する情報と、複数の通信端末それぞれが利用する無線基地局である利用無線基地局を示す情報とに基づいて、利用無線基地局間を結ぶ仮想回線をセットする。
【００１５】
また、上記制御方法において、利用無線基地局間の通信における経路を示す情報を、利用無線基地局に設定することにより仮想回線をセットしてもよく、更に、通信端末から一の利用無線基地局に向かって送信される無線フレームの無線チャネルと、当該一の利用無線基地局の対向の利用無線基地局を示す情報とを対応付けたマッピング情報を、当該一の利用無線基地局に設定してもよい。
【発明の効果】
【００１６】
本発明によれば、低遅延通信を実現可能な制御装置及び制御方法を提供することができる。
【図面の簡単な説明】
【００１７】
【図１】本発明の実施形態に係る制御システムの全体アーキテクチャを示す図である。
【図２】トンネル設定区間の詳細を示す図である。
【図３】図１の制御システムにおけるＳＤＮ−Ｃの機能ブロックを示す図である。
【図４】図２の制御システムにおけるＳＤＮ−Ｃのハードウェア構成を示す図である。
【図５】トンネルを利用した通信処理を説明するための図である。
【図６】トンネルを利用した通信処理において用いられるパケットフォーマットを示す図である。
【図７】トンネルを利用した通信処理において用いられる各テーブルを示す図である。
【図８】ＳＤＮ−Ｃが保持する各テーブルを示す図である。
【図９】アタッチ時のトンネル設定処理を示すシーケンス図である。
【図１０】トンネルを利用した通信処理を示すシーケンス図である。
【図１１】本発明の実施形態に係る制御システムにおけるハンドオーバ時の処理イメージを示す図である。
【図１２】ハンドオーバ時のトンネル設定処理を示すシーケンス図である。
【図１３】比較例に係る制御システムにおける通信端末間の通信処理イメージを示す図である。
【発明を実施するための形態】
【００１８】
以下、添付図面を参照しながら本発明の実施形態を詳細に説明する。図面の説明において、同一又は同等の要素には同一符号を用い、重複する説明を省略する。
【００１９】
図１は、本実施形態に係る制御システムの全体アーキテクチャを示す図である。制御システム１は、モバイルブロードバンドサービスを提供する移動体通信網を構成するシステムであり、互いに通信を行う複数の通信端末間の通信を制御する。図１に示されるように、制御システム１は、ＵＥ（User Equipment）１０ａ〜１０ｅ（通信端末）と、ｅＮＢ（evolved Node B）１１ａ〜１１ｄと、ＳＤＮ−Ｃ（Software DefinedNetworking- Controller）１２と、ＭＭＥ（Mobility ManagementEntity）１３と、ＨＳＳ（Home Subscriber Server）１４と、ＣＮ（Connection Node）１５ａ〜１５ｅと、ＰＤＮ（Packet Date Network）２０と、を備えている。なお、各構成の数については、図１に記載した例に限定されない。最初に、制御システム１の各構成の基本的な機能について説明する。
【００２０】
ＵＥ１０ａ〜１０ｅは、移動体通信網に在圏することにより通信が可能になる移動通信端末であり、例えば携帯電話及びタブレット型ＰＣ等である。ＵＥ１０ａ〜１０ｅは、ｅＮＢ１１ａ〜１１ｄとの間で電波の送受信を行うことにより制御システム１に係る移動体通信網（ここでは、ＬＴＥ（Long Term Evolution）網）に在圏する。図１に示す例では、ＵＥ１０ａ，１０ｂがｅＮＢ１１ａと、ＵＥ１０ｃがｅＮＢ１１ｂと、ＵＥ１０ｄがｅＮＢ１１ｃと、ＵＥ１０ｅがｅＮＢ１１ｄと、それぞれ電波の送受信を行っている。
【００２１】
ｅＮＢ１１ａ〜１１ｄは、無線基地局であるとともに、無線アクセス制御機能を有した通信制御装置である。ｅＮＢ１１ａ〜１１ｄは、ＵＥ１０ａ〜１０ｅから発信があった際の受付制御機能や、他のＵＥからＵＥ１０ａ〜１０ｅに着信があった際にＵＥ１０ａ〜１０ｅを呼び出すページング機能を基本機能として有している。また、ｅＮＢ１１ａ〜１１ｄは、ＬＴＥ在圏エリアを形成しており、ＵＥ１０ａ〜１０ｅがＬＴＥ在圏エリア内に在圏する場合に、ｅＮＢ１１ａ〜１１ｄ及びＵＥ１０ａ〜１０ｅ間でＬＴＥ方式に従った無線通信を行うことができる。ＵＥ１０ａ〜１０ｅは、ｅＮＢ１１ａ〜１１ｄを介してｅＮＢ１１ａ〜１１ｄの上位装置であるＭＭＥ１３等と通信を行う。
【００２２】
ＳＤＮ−Ｃ１２は、ソフトウェアによって、ｅＮＢ及びＣＮ等の通信装置の構成、機能、及び性能等を動的に設定・変更可能な一又は複数の制御装置である。本実施形態では、ＳＤＮ−Ｃ１２は、互いに通信を行う複数のＵＥ１０ａ〜１０ｅ間の通信を制御する。具体的には、ＳＤＮ−Ｃ１２は、複数のＵＥ１０ａ〜１０ｅそれぞれが利用するｅＮＢ１１ａ〜１１ｄ（利用無線基地局）間を結ぶトンネル（仮想回線）を設定（セット）すること（構成すること）により、複数のＵＥ１０ａ〜１０ｅ間のフロー制御を行う。トンネルとは、通信ネットワーク上の２点間を結ぶ閉じられた仮想的な直線回線である。以下では、ＳＤＮ−Ｃ１２によって、ＵＥ１０ａが利用するｅＮＢ１１ａと、ＵＥ１０ｄが利用するｅＮＢ１１ｃとを結ぶトンネルＴＬが設定される例を説明する。ＳＤＮ−Ｃ１２の詳細な機能については後述する。
【００２３】
ＭＭＥ１３は、ｅＮＢ１１ａ〜１１ｄを収容し、モビリティ制御及びベアラ制御を行う交換機である。ＭＭＥ１３は、ＵＥ１０ａ〜１０ｅの位置登録機能、他のＵＥからＵＥ１０ａ〜１０ｅに着信があった際にｅＮＢ１１ａ〜１１ｄを呼び出すページング機能、ＵＥ１０ａ〜１０ｅの認証管理機能、及び、ＵＥ〜ＭＭＥ間の無線ベアラ設定機能等を基本機能として有している。また、ＭＭＥ１３は、ＳＤＮ−Ｃに対して、特定のｅＮＢ間にトンネル設定を行うことを要求する。
【００２４】
ＨＳＳ１４は、ＵＥ１０ａ〜１０ｅ等の通信端末の契約情報及び認証情報を管理する加入者情報管理サーバである。ＨＳＳ１４は、ＭＭＥ１３等を介してＵＥ１０ａ〜１０ｅより受信した、ＵＥ１０ａ〜１０ｅのＩＭＳＩ（International MobileSubscriber Identity）、ＩＰアドレス、及び、利用するｅＮＢ１１ａ〜１１ｄを特定する情報を記憶している。
【００２５】
ＰＤＮ２０は、ＵＥ１０ａ〜１０ｅに対して、インターネット等を利用したデータ通信を提供する外部のネットワークである。ＰＤＮ２０は、Ｐ−ＧＷ及びＳ−ＧＷ（Serving Gateway）（共に図示せず）を介してＡＰＮ（Access PointName）に接続されたＵＥ１０ａ〜１０ｅとコネクションを確立することにより、ＵＥ１０ａ〜１０ｅにデータ通信を提供する。ＰＤＮ２０には、音声データ以外のデータパケット通信に供されるデータ通信用ＰＤＮと、音声データのデータパケット通信に供されるＩＭＳ−ＰＤＮとが含まれている。
【００２６】
ＣＮ１５ａ〜１５ｅは、ｅＮＢ１１ａ〜１１ｄ相互の接続、及び、ｅＮＢ１１ａ〜１１ｄとＰＤＮ２０との接続を中継する装置（中継装置）である。例えば、ｅＮＢ１１ａ，１１ｂとｅＮＢ１１ｃとの接続は、ＣＮ１５ｃ，１５ｄにより中継されている。また、ｅＮＢ１１ａ，１１ｂとｅＮＢ１１ｄとの接続は、ＣＮ１５ｃ，１５ｄ，１５ｅにより中継されている。また、ｅＮＢ１１ａ，１１ｂとＰＤＮ２０との接続は、ＣＮ１５ａ，１５ｃにより中継されている。また、ｅＮＢ１１ｄとＰＤＮ２０との接続は、ＣＮ１５ｂ，１５ｅにより中継されている。本実施形態では、トンネルの設定区間には、トンネルの基点又は終点となる２つのｅＮＢと、一又は複数のＣＮとが含まれている。例えば上述したトンネルＴＬの設定区間には、トンネルの基点又は終点となる２つのｅＮＢ１１ａ，１１ｃと、ｅＮＢ１１ａに接続されたＣＮ１５ｃと、ＣＮ１５ｃ及びｅＮＢ１１ｃに接続されたＣＮ１５ｄと、が含まれている。トンネルＴＬ設定区間の詳細、及び、ＣＮ１５ｃ，１５ｄの機能の詳細について図２を参照して説明する。なお、トンネルＴＬ設定区間に含まれないその他のＣＮ１５ａ，１５ｂ，１５ｅについても、図２に示したＣＮ１５ｃ，１５ｄと同様の機能を有している。
【００２７】
図２は、トンネルＴＬ設定区間の詳細を示す図である。なお、図２においては、トンネルＴＬ設定区間に係る構成のみを図示している。図２に示されるようにトンネルＴＬ設定区間には、ｅＮＢ１１ａ，１１ｃと、ＣＮ１５ｃ，１５ｄとが含まれている。より詳細には、ｅＮＢ１１ａとＣＮ１５ｃとがイーサネット網２１ａを介して接続されており、ｅＮＢ１１ｃとＣＮ１５ｄとがイーサネット網２１ｃを介して接続されている。すなわち、ｅＮＢ１１ａ，１１ｃとＣＮ１５ｃ，１５ｄとの間ではイーサネットフレームにより通信が行われる。当該イーサネットフレームは、ｅＮＢ１１ａに併設されたＭＣ（Media Converter）１６ａ及びｅＮＢ１１ｃに併設されたＭＣ１６ｃにより生成される。また、ＣＮ１５ｃとＣＮ１５ｄとは、光信号により通信を行う。
【００２８】
また、ＣＮ１５ｃは、ＥＲＰ−ＳＷ（Ethernet Ring Protection- Switch）１５１ｃと、ＯＡＤＭ（Opticaladd-drop multiplexer）１５２ｃとを有している。同様に、ＣＮ１５ｄは、ＥＲＰ−ＳＷ１５１ｄと、ＯＡＤＭ１５２ｄとを有している。ＥＲＰ−ＳＷ１５１ｃ，１５１ｄは、イーサネット伝送装置であり、複数のインターフェース(例えば１ＧｂＥ、１０ＧｂＥ等)を実装している。また、ＯＡＤＭ１５２ｃ，１５２ｄは、光分離挿入装置であり、光信号に対して、特定の波長の分離・混合を行う。ＥＲＰ−ＳＷ１５１ｃ，１５１ｄ及びＯＡＤＭ１５２ｃ，１５２ｄの機能の詳細については後述する。なお、図示していないが、ＣＮ１５ｃ，１５ｄは、光波長分割多重装置（Ｓ−ＷＤＭ：Small Wavelength Division Multiplexer）を有していてもよい。
【００２９】
次に、図３も参照しながら、ＳＤＮ−Ｃ１２のトンネルＴＬ設定に関する機能の詳細について説明する。図３は、図１の制御システム１におけるＳＤＮ−Ｃ１２の機能ブロックを示す図である。図３に示されるように、ＳＤＮ−Ｃ１２は、記憶部１２１と、取得部１２２と、設定部１２３とを有している。
【００３０】
図４は、ＳＤＮ−Ｃ１２のハードウェア構成を示す図である。ＳＤＮ−Ｃ１２は、それぞれ物理的には、図４に示すように、１又は複数のＣＰＵ１１１、主記憶装置であるＲＡＭ１１２及びＲＯＭ１１３、入力デバイスであるキーボード及びマウス等の入力装置１１４、ディスプレイ等の出力装置１１５、ネットワークカード等のデータ送受信デバイスである通信モジュール１１６、半導体メモリ等の補助記憶装置１１７などを含むコンピュータシステムとして構成されている。
【００３１】
ＳＤＮ−Ｃ１２の機能は、図４に示すＣＰＵ１１１、ＲＡＭ１１２等のハードウェア上に１又は複数の所定のコンピュータソフトウェアを読み込ませることにより、ＣＰＵ１１１の制御のもとで入力装置１１４、出力装置１１５、通信モジュール１１６を動作させるとともに、ＲＡＭ１１２や補助記憶装置１１７におけるデータの読み出し及び書き込みを行うことで実現される。
【００３２】
ここで、ＳＤＮ−Ｃ１２のトンネルＴＬ設定に関する機能の詳細を説明する前に、トンネルＴＬを利用した通信処理を実現する上で必要となる要件について、図５〜図７を参照して説明する。図５は、トンネルＴＬを利用した通信処理を説明するための図である。図５には、トンネルＴＬ設定区間に係る構成であるｅＮＢ１１ａ，１１ｃ及びＣＮ１５ｃ，１５ｄと、ＵＥ１０ａ，１０ｄとが図示されている。図６は、トンネルＴＬを利用した通信処理において用いられるパケットフォーマットを示す図である。図７は、トンネルＴＬを利用した通信処理において用いられる各テーブルを示す図である。
【００３３】
トンネルＴＬを利用し、ＵＥ１０ａからＵＥ１０ｄに対してパケットを送信する例を説明する。この場合、最初に、ＵＥ１０ａにおいて、送信するユーザパケット（図６（ａ）参照）が無線フレーム１（図６（ｂ）参照）に変換される。ユーザパケットのＩＰヘッダは、送信元がＵＥ１０ａのＩＰアドレス（「IP_UE1」）とされ、宛先がＵＥ１０ｄのＩＰアドレス（「IP_UE2」）とされる（図６（ａ）参照）。無線フレーム１は、当該ユーザパケットを含むとともに、宛先に応じた所定の無線リンク識別子（「ＣＲＮＴＩ１」）がヘッダとして設定される（図６（ｂ）参照）。無線フレームにおいては、宛先毎に異なる無線チャネルが割り振られる。そのため、無線リンク識別子とは、宛先毎に定まる無線チャネルに対応付いた識別子である。ユーザパケットから無線フレーム１への変換は、ＵＥ１０ａにより、予めＵＥ１０ａが記憶している無線フレーム変換テーブルＴ１（図７（ａ）参照）が参照されることにより行われる。図７（ａ）に示す無線フレーム変換テーブルＴ１おいて、「ＡＰＬデータ識別子」は、ユーザパケットの送信元及び宛先のＩＰアドレスを示している。また、「挿入無線リンク識別子」は、ユーザパケットの送信元及び宛先のＩＰアドレスが「宛先ｅＮＢ識別子」にて特定されるＩＰアドレスである場合に無線フレーム１のヘッダとして設定される無線リンク識別子を示している。
【００３４】
つづいて、ＵＥ１０ａからｅＮＢ１１ａに対して無線フレーム１が送信され、ｅＮＢ１１ａにおいて、当該無線フレーム１がイーサネットフレーム（図６（ｃ）参照）に変換される。イーサネットフレームは、無線フレーム１に含まれているユーザパケットを含むとともに、ＧＴＰ−Ｕ（GPRS Tunneling Protocol for User Plane）のトンネルＩＤ（ＴＥ−ＩＤ）（「ZZZZ」）が設定されている（図６（ｃ）参照）。トンネルＩＤとは、設定されているトンネルＴＬを一意に特定する識別子である。また、イーサネットフレームのＩＰヘッダは、送信元がｅＮＢ１１ａの所定のポートのＩＰアドレス（「IP_eNB1#1」）とされ、宛先がｅＮＢ１１ｃの所定のポートのＩＰアドレス（「IP_eNB3#1」）とされる（図６（ｃ）参照）。また、イーサネットフレームのイーサネットヘッダについても、送信元がｅＮＢ１１ａの所定のポートのイーサネットアドレス（「MAC_eNB1#1」）とされ、宛先がｅＮＢ１１ｃの所定のポートのイーサネットアドレス（「MAC_eNB3#1」）とされる（図６（ｃ）参照）。無線フレーム１からイーサネットフレームへの変換は、ｅＮＢ１１ａが、ＳＤＮ−Ｃ１２により設定されたイーサネットフレーム変換テーブルＴ２（図７（ｂ）参照）を参照することにより行われる。図７（ｂ）に示すイーサネットフレーム変換テーブルＴ２において、「無線リンク識別子」は、無線フレーム１のヘッダとして設定された無線リンク識別子を示している。また、「挿入ＴＥ−ＩＤ」は、設定されるトンネルＩＤを示している。また、「宛先ｅＮＢ識別子」は、宛先のｅＮＢの所定のポートのＩＰアドレス及びイーサネットアドレスを示している。
【００３５】
そして、イーサネットフレームは、宛先に応じて、ｅＮＢ１１ａの所定のポートから出力される。当該所定のポートの判定は、ｅＮＢ１１ａが、ＳＤＮ−Ｃ１２により設定された転送判定テーブルＴ７（図７（ｇ）参照）を参照することにより行われる。図７（ｇ）に示す転送判定テーブルＴ７において、「宛先ｅＮＢ識別子」は、宛先のｅＮＢの所定のポートのＩＰアドレス及びイーサネットアドレスを示している。また、「出力Ｐｏｒｔ名」は、宛先が「宛先ｅＮＢ識別子」にて特定されるｅＮＢである場合にイーサネットフレームが出力されるポートを示している。
【００３６】
つづいて、イーサネットフレームを受信したＥＲＰ−ＳＷ１５１ｃにおいて、イーサネットフレームのカプセル化処理が行われ、カプセル化イーサネットフレーム（図６（ｄ）参照）が生成される。カプセル化イーサネットフレームは、イーサネットフレームを含むとともに、カプセル化イーサネットヘッダとして、送信元であるＣＮ１５ｃの所定のポートのイーサネットアドレス（「MAC_CN3#1」）と、宛先であるＣＮ１５ｅの所定のポートのイーサネットアドレス（「MAC_CN4#1」）とが設定されている（図６（ｄ）参照）。カプセル化処理は、ＥＲＰ−ＳＷ１５１ｃが、ＳＤＮ−Ｃ１２により設定されたカプセル化テーブルＴ３（図７（ｃ）参照）を参照することにより行われる。図７（ｃ）に示すカプセル化テーブルＴ３において、「宛先ｅＮＢ識別子」は、イーサネットフレームのイーサネットヘッダの宛先として設定されたイーサネットアドレスを示している。また、「宛先ＥＲＰ−ＳＷ識別子」は、宛先が「宛先ｅＮＢ識別子」にて特定されるｅＮＢである場合にカプセル化イーサネットヘッダの宛先に設定されるイーサネットアドレスを示している。
【００３７】
つづいて、ＥＲＰ−ＳＷ１５１ｃにおいて、カプセル化イーサネットフレームがＯＴＮ（optical transport network）フレーム（図６（ｅ）参照）に変換される。ＯＴＮフレームは、カプセル化イーサネットフレームを含むとともに、ＯＴＮヘッダとして、送信元であるＣＮ１５ｃのＯＡＤＭ１５２ｃを特定する識別子（「OADM3」）と、宛先であるＣＮ１５ｅのＯＡＤＭ１５２ｄを特定する識別子（「OADM4」）とが設定されている（図６（ｅ）参照）。ＯＴＮフレームへの変換は、ＥＲＰ−ＳＷ１５１ｃが、ＳＤＮ−Ｃ１２により設定されたＯＴＮフレーム変換テーブルＴ４（図７（ｄ）参照）を参照することにより行われる。図７（ｄ）に示すＯＴＮフレーム変換テーブルＴ４において、「宛先ＥＲＰ−ＳＷ識別子」は、カプセル化イーサネットフレームのカプセル化イーサネットヘッダの宛先として設定されたイーサネットアドレスを示している。また、「宛先ＯＡＤＭ識別子」は、宛先が「宛先ＥＲＰ−ＳＷ識別子」にて特定されるＣＮである場合に、ＯＴＮヘッダの宛先に設定される、ＯＡＤＭを特定する識別子である。当該ＯＴＮフレームは、ＥＲＰ−ＳＷ１５１ｃからＯＡＤＭ１５２ｃに出力される。
【００３８】
そして、ＯＴＮフレームを受信したＯＡＤＭ１５２ｃにおいて、光信号波長設定処理が行われ、ＣＮ１５ｄのＯＡＤＭ１５２ｄに送信される光信号の波長が設定される。当該光信号は、ＯＴＮフレームを含むとともに、所定の送信波長（「λ1」）が設定された信号である（図６（ｆ）参照）。光信号波長設定処理は、ＯＡＤＭ１５２ｃが、ＳＤＮ−Ｃ１２により設定された送信波長設定テーブルＴ５（図７（ｅ）参照）を参照することにより行われる。図７（ｅ）の送信波長設定テーブルＴ５において、「宛先ＯＡＤＭ識別子」は、ＯＴＮフレームのＯＴＮヘッダの宛先として設定された、ＯＡＤＭを特定する識別子である。また、「送信波長」は、宛先が「宛先ＯＡＤＭ識別子」にて特定されるＯＡＤＭである場合に設定される光信号の送信波長を示している。
【００３９】
つづいて、ＯＡＤＭ１５２ｃにおいて、合波処理が行われ、ＯＡＤＭ１５２ｄに対して光信号が送信される。ＯＡＤＭ１５２ｃでは、ＳＤＮ−Ｃ１２により設定された光送信設定情報Ｔ９（図７（ｉ）参照）に基づき、所定のポート（「#3」）に入力された電気信号が、所定の送信波長（「λ1」）の光信号に変換され、所定のポート（「#1」）から出力される。図７（ｉ）に示す光送信設定情報Ｔ９において、「入力Ｐｏｒｔ名」は電気信号が入力されるポート名を、「送信波長」は送信する光信号の波長を、「出力Ｐｏｒｔ名」は光信号が出力されるポート名を、それぞれ示している。
【００４０】
上記光信号を受信したＯＡＤＭ１５２ｄでは、分波処理が行われ、ＯＴＮフレームがＥＲＰ−ＳＷ１５１ｄに送信される。ＯＡＤＭ１５２ｄでは、ＳＤＮ−Ｃ１２により設定された光受信設定情報Ｔ１０（図７（ｊ）参照）に基づき、所定のポート（「#1」）に入力された、所定の受信波長（「λ1」）の光信号が、電気信号（ＯＴＮフレーム）に戻され所定のポート（「#3」）から出力される。図７（ｊ）に示す光受信設定情報Ｔ１０において、「入力Ｐｏｒｔ名」は光信号が入力されるポート名を、「受信波長」は受信する光信号の波長を、「出力Ｐｏｒｔ名」は電気信号が出力されるポート名を、それぞれ示している。光信号からＯＴＮフレームへの変換処理（逆変換処理）では、上述した光信号波長設定処理と同様、送信波長設定テーブルＴ５（図７（ｅ）参照）が用いられる。そして、当該ＯＴＮフレームがＯＡＤＭ１５２ｄからＥＲＰ−ＳＷ１５１ｄに送信される。
【００４１】
そして、ＥＲＰ−ＳＷ１５１ｄにおいて、ＯＴＮフレームがカプセル化イーサネットフレームに変換される。ＯＴＮフレームからカプセル化イーサネットフレームへの変換処理（逆変換処理）では、カプセル化イーサネットフレームからＯＴＮフレームへの変換処理と同様、ＯＴＮフレーム変換テーブルＴ４（図７（ｄ）参照）が用いられる。更に、ＥＲＰ−ＳＷ１５１ｄにおいて、カプセル化イーサネットフレームがイーサネットフレームに変換される、デカプセル化処理が行われる。デカプセル化処理では、カプセル化処理と同様、カプセル化テーブルＴ３（図７（ｃ）参照）が用いられる。ＥＲＰ−ＳＷ１５１ｄは、ＳＤＮ−Ｃ１２により設定された転送判定テーブルＴ８（図７（ｈ）参照）を参照することにより、所定のポート（「ERP-SW4#1」）からｅＮＢ１１ｃに対してデカプセル化処理後のイーサネットフレームを出力する。図７（ｈ）に示す転送判定テーブルＴ８において、「宛先ｅＮＢ識別子」は宛先のｅＮＢの所定のポートのイーサネットアドレスを示している。また、「出力Ｐｏｒｔ名」は、宛先が「宛先ｅＮＢ識別子」にて特定されるｅＮＢである場合にイーサネットフレームが出力されるポートを示している。
【００４２】
つづいて、ｅＮＢ１１ｃにおいて、イーサネットフレームが無線フレーム２に変換される。イーサネットフレームから無線フレーム２への変換は、ｅＮＢ１１ａが、ＳＤＮ−Ｃ１２により設定されたイーサネットフレーム変換テーブルＴ６（図７（ｆ）参照）を参照することにより行われる。図７（ｆ）に示すイーサネットフレーム変換テーブルＴ６において、「ＡＰＬデータ識別子」は、ユーザパケットの送信元及び宛先のＩＰアドレスを示している。また、「挿入無線リンク識別子」は、ユーザパケットの送信元及び宛先のＩＰアドレスが「宛先ｅＮＢ識別子」にて特定されるＩＰアドレスである場合に無線フレーム２のヘッダとして設定する無線リンク識別子を示している。変換後の無線フレーム２は、ユーザパケットを含むともに、宛先に応じた所定の無線リンク識別子（「CRNTI2」）がヘッダとして設定される（図６（ｇ）参照）。変換後の無線フレーム２はｅＮＢ１１ｃからＵＥ１０ｄに送信される。最後に、ＵＥ１０ｄにおいて、無線フレーム２がユーザパケットに変換される。以上のようにして、トンネルＴＬを利用した通信処理が実現される。
【００４３】
上述したように、トンネルＴＬを利用した通信処理を実現するためには、ｅＮＢ１１ａに対してイーサネットフレーム変換テーブルＴ２及び転送判定テーブルＴ７が、ＥＲＰ−ＳＷ１５１ｃに対してカプセル化テーブルＴ３及びＯＴＮフレーム変換テーブルＴ４が、ＯＡＤＭ１５２ｃに対して送信波長設定テーブルＴ５及び光送信設定情報Ｔ９が、ＯＡＤＭ１５２ｄに対して送信波長設定テーブルＴ５及び光受信設定情報Ｔ１０が、ＥＲＰ−ＳＷ１５１ｄに対してカプセル化テーブルＴ３、ＯＴＮフレーム変換テーブルＴ４及び転送判定テーブルＴ８が、ｅＮＢ１１ｃに対してイーサネットフレーム変換テーブルＴ６が、それぞれ、ＳＤＮ−Ｃ１２により設定されていることが必要となる。すなわち、ＳＤＮ−Ｃ１２のトンネルＴＬ設定に関する機能とは、ｅＮＢ１１ａ，１１ｃ及びＣＮ１５ｃ，１５ｄに対して、上述した各テーブルを設定することに関する機能である。以下、当該ＳＤＮ−Ｃ１２の機能の詳細について説明する。
【００４４】
図３に戻り、記憶部１２１は、上述した各テーブルを、ｅＮＢ１１ａ，１１ｃ及びＣＮ１５ｃ，１５ｄに設定するための情報を記憶する記憶手段である。当該設定するための情報とは、各装置の識別子テーブル及び各装置相互の接続関係（トポロジ）テーブルである。なお、記憶部１２１は、これらのテーブルに加えて、後述する設定部１２３がｅＮＢ１１ａ，１１ｃ及びＣＮ１５ｃ，１５ｄに対して設定する各テーブルの複製を記憶していてもよい。記憶部１２１が記憶する情報の詳細について、図８を参照しながら説明する。
【００４５】
図８に示されるように、記憶部１２１は、各装置の識別子テーブルとして、ｅＮＢ識別子テーブル４１と、ＥＲＰ−ＳＷ識別子テーブル４２と、ＯＡＤＭ識別子テーブル４３とを有している。ｅＮＢ識別子テーブル４１では、「ｅＮＢ名」と、「Ｐｏｒｔ名」と、ｅＮＢ識別子である「ＩＰ」及び「ＭＡＣ」とが対応付けられている。「ｅＮＢ名」はｅＮＢを特定する情報（例えば「eNB1」）であり、「Ｐｏｒｔ名」はｅＮＢのポートを特定する情報（例えば「#1」）であり、「ＩＰ」は当該ポートのＩＰアドレス（例えば「IP_eNB#1」）であり、「ＭＡＣ」は当該ポートのイーサネットアドレス（例えば「MAC_eNB3#1」である。ＥＲＰ−ＳＷ識別子テーブル４２では、「ＥＲＰ−ＳＷ名」と、「Ｐｏｒｔ名」と、ＥＲＰ−ＳＷ識別子である「カプセル化ＭＡＣ」とが対応付けられている。「ＥＲＰ−ＳＷ名」はＥＲＰ−ＳＷを特定する情報（例えば「ERP-SW3」）であり、「Ｐｏｒｔ名」はＥＲＰ−ＳＷのポートを特定する情報（例えば「#2」）であり、「カプセル化ＭＡＣ」は当該ポートのイーサネットアドレス（例えば「MAC_CN3#1」）である。ＯＡＤＭ識別子テーブル４３では、「ＯＡＤＭ名」と、「Ｐｏｒｔ名」とが対応付けられている。「ＯＡＤＭ名」はＯＡＤＭを特定する情報（例えば「OADM3」）であり、「Ｐｏｒｔ名」はＯＡＤＭのポートを特定する情報（例えば「#1」）である。
【００４６】
また、記憶部１２１は、各装置相互の接続関係テーブルとして、ｅＮＢ・ＥＲＰ−ＳＷ物理接続関係テーブル４４と、ＯＡＤＭ・ＥＲＰ−ＳＷ物理接続関係テーブル４５と、ＯＡＤＭ間物理接続関係テーブル４６とを有している。当該ｅＮＢ・ＥＲＰ−ＳＷ物理接続関係テーブル４４、ＯＡＤＭ・ＥＲＰ−ＳＷ物理接続関係テーブル４５、及びＯＡＤＭ間物理接続関係テーブル４６の各テーブルの情報を組み合わせることによって、複数のｅＮＢ相互の接続関係が一意に特定される。このように、記憶部１２１は、複数のｅＮＢ相互の接続関係を記憶している。
【００４７】
ｅＮＢ・ＥＲＰ−ＳＷ物理接続関係テーブル４４では、ｅＮＢ及びＥＲＰ−ＳＷ間において互いに接続されたポート名が対応付けられている。すなわち、ｅＮＢ・ＥＲＰ−ＳＷ物理接続関係テーブル４４では、「ｅＮＢ名」（例えば「eNB1」）及び当該ｅＮＢの「Ｐｏｒｔ名」（例えば「#1」）と、ｅＮＢに接続された「ＥＲＰ−ＳＷ名」（例えば「ERP-SW3」）及び当該ＥＲＰ−ＳＷの「Ｐｏｒｔ名」（例えば「#1」）とが対応付けられている。ＯＡＤＭ・ＥＲＰ−ＳＷ物理接続関係テーブル４５では、ＯＡＤＭ及びＥＲＰ−ＳＷ間において互いに接続されたポート名が対応付けられている。すなわち、ＯＡＤＭ・ＥＲＰ−ＳＷ物理接続関係テーブル４５では、「ＯＡＤＭ名」（例えば「OADM3」）及び当該ＯＡＤＭの「Ｐｏｒｔ名」（例えば「#3」）と、ＯＡＤＭに接続された「ＥＲＰ−ＳＷ名」（例えば「ERP-SW3」）及び当該ＥＲＰ−ＳＷの「Ｐｏｒｔ名」（例えば「#2」）とが対応付けられている。ＯＡＤＭ間物理接続関係テーブル４６では、ＯＡＤＭ間において互いに接続されたポート名が対応付けられている。すなわち、ＯＡＤＭ間物理接続関係テーブル４６では、「ＯＡＤＭ名」（例えば「OADM3」）及び当該ＯＡＤＭの「Ｐｏｒｔ名」（例えば「#1」）と、このＯＡＤＭに接続された「ＯＡＤＭ名」（例えば「OADM4」）及び当該ＯＡＤＭの「Ｐｏｒｔ名」（例えば「#1」）とが対応付けられている。
【００４８】
図３に戻り、取得部１２２は、複数のＵＥ１０ａ，１０ｄそれぞれが利用するｅＮＢ１１ａ，１１ｃ（利用無線基地局）を示す情報を取得する取得手段である。ここで、ＵＥが利用するｅＮＢとは、宛先（パケット等の送信先）にかかわらずＵＥが通信を行うｅＮＢである。取得部１２２は、トンネル設定を行うｅＮＢ１１ａ，１１ｃを示す情報を含んだトンネル設定要求をＭＭＥ１３から受けることにより、ｅＮＢ１１ａ，１１ｃを示す情報を取得する。当該ＭＭＥ１３からのトンネル設定要求は、例えば、ＵＥ１０ａ（一の通信端末）による、ＵＥ１０ｄ（一の通信端末と通信を行う対向の通信端末）に対する接続要求をトリガとして行われる。すなわち、取得部１２２は、ＵＥ１０ａからＵＥ１０ｄに対して接続要求があった場合に、ｅＮＢ１１ａ，１１ｃを示す情報を取得する。なお、ｅＮＢを示す情報とは例えばｅＮＢ名である。取得部１２２は、取得した情報（ｅＮＢ１１ａ，１１ｃを示す情報）を設定部１２３に出力する。
【００４９】
設定部１２３は、記憶部１２１が記憶する、各装置の識別子テーブル及び各装置相互の接続関係（トポロジ）テーブルと、取得部１２２が取得したｅＮＢ１１ａ，１１ｃ（利用無線基地局）を示す情報とに基づいて、ｅＮＢ１１ａ，１１ｃ間を結ぶトンネルＴＬを設定する設定手段である。ｅＮＢ１１ａ，１１ｃ間を結ぶトンネルＴＬを設定するとはすなわち、ｅＮＢ１１ａ，１１ｃ、及び、ｅＮＢ１１ａ，１１ｃ間の接続を中継するＣＮ１５ｃ，１５ｄに対して、ｅＮＢ１１ａ，１１ｃ間の通信における経路を示す情報である各種テーブルを設定することをいう。
【００５０】
設定部１２３における処理について詳細に説明する。設定部１２３はトンネルＴＬを設定するための処理（トンネル設定処理）として、テーブル設定装置特定処理と、テーブル作成処理と、テーブル出力処理とを行う。テーブル設定装置特定処理では、設定部１２３は、取得部１２２から出力されたｅＮＢ１１ａ，１１ｃを示す情報（ｅＮＢ１１ａ，１１ｃのｅＮＢ名）と、記憶部１２１から取得する各装置相互の接続関係テーブル（ｅＮＢ・ＥＲＰ−ＳＷ物理接続関係テーブル４４、ＯＡＤＭ・ＥＲＰ−ＳＷ物理接続関係テーブル４５、及びＯＡＤＭ間物理接続関係テーブル４６）とに基づき、トンネルＴＬ設定区間の各装置を特定し、テーブルを設定する装置を特定する。設定部１２３は、具体的には、ｅＮＢ１１ａ，１１ｃと、ＣＮ１５ｃのＥＲＰ−ＳＷ１５１ｃ及びＯＡＤＭ１５２ｃと、ＣＮ１５ｄのＥＲＰ−ＳＷ１５１ｄ及びＯＡＤＭ１５２ｄとを、トンネルＴＬ設定区間の装置として特定する。
【００５１】
また、テーブル作成処理では、設定部１２３は、各装置の識別子テーブル（ｅＮＢ識別子テーブル４１、ＥＲＰ−ＳＷ識別子テーブル４２、及びＯＡＤＭ識別子テーブル４３）と、各装置相互の接続関係テーブル（ｅＮＢ・ＥＲＰ−ＳＷ物理接続関係テーブル４４、ＯＡＤＭ・ＥＲＰ−ＳＷ物理接続関係テーブル４５、及びＯＡＤＭ間物理接続関係テーブル４６）とに基づき、トンネルＴＬ設定区間の各装置に設定するテーブルを作成する。具体的には、設定部１２３は、上述したように、ｅＮＢ１１ａに対して設定するイーサネットフレーム変換テーブルＴ２及び転送判定テーブルＴ７と、ＥＲＰ−ＳＷ１５１ｃに対して設定するカプセル化テーブルＴ３及びＯＴＮフレーム変換テーブルＴ４と、ＯＡＤＭ１５２ｃに対して設定する送信波長設定テーブルＴ５及び光送信設定情報Ｔ９と、ＯＡＤＭ１５２ｄに対して設定する送信波長設定テーブルＴ５及び光受信設定情報Ｔ１０と、ＥＲＰ−ＳＷ１５１ｄに対して設定するカプセル化テーブルＴ３、ＯＴＮフレーム変換テーブルＴ４及び転送判定テーブルＴ８と、ｅＮＢ１１ｃに対して設定するイーサネットフレーム変換テーブルＴ６とを作成する（各テーブルについては図７参照）。
【００５２】
なお、イーサネットフレーム変換テーブルＴ２は、ＵＥ１０ａからｅＮＢ１１ａに向かって送信される無線フレーム１の無線チャネル（詳細には無線チャネルに対応付いた識別子である無線リンク識別子）と、ｅＮＢ１１ａの対向の無線基地局であるｅＮＢ１１ｄを示す情報（宛先ｅＮＢ識別子）とを対応付けたマッピング情報である。設定部１２３は、当該マッピング情報を作成しｅＮＢ１１ａに設定する。当該マッピング情報を作成するためには、図８に示される各テーブルに加えて、無線リンク識別子毎の宛先ｅＮＢの情報が必要となる。このような情報については図示していないが、ＳＤＮ−Ｃ１２において記憶されているものとする。
【００５３】
テーブル出力処理では、設定部１２３は、テーブル作成処理において作成した各テーブルを、テーブル設定装置特定処理において特定した各装置に出力する。すなわち、設定部１２３は、イーサネットフレーム変換テーブルＴ２及び転送判定テーブルＴ７をｅＮＢ１１ａに出力し、カプセル化テーブルＴ３及びＯＴＮフレーム変換テーブルＴ４をＣＮ１５ｃのＥＲＰ−ＳＷ１５１ｃに出力し、送信波長設定テーブルＴ５及び光送信設定情報Ｔ９をＣＮ１５ｃのＯＡＤＭ１５２ｃに出力し、送信波長設定テーブルＴ５及び光受信設定情報Ｔ１０をＣＮ１５ｄのＯＡＤＭ１５２ｄに出力し、カプセル化テーブルＴ３、ＯＴＮフレーム変換テーブルＴ４及び転送判定テーブルＴ８をＣＮ１５ｄのＥＲＰ−ＳＷ１５１ｄに出力し、イーサネットフレーム変換テーブルＴ６をｅＮＢ１１ｃに出力する。そして、トンネルＴＬ設定区間の各装置において、上述した各テーブルが保持されるとともに必要に応じて適切な設定がされることにより、トンネルＴＬを利用した通信処理が実現する。
【００５４】
次に、図９を参照して、制御システム１におけるトンネル設定処理の一例を説明する。図９は、アタッチ時のトンネル設定処理を示すシーケンス図である。なお、トンネル設定処理は、必ずしもアタッチ時に行われる処理でなくてもよいが、本実施形態では、アタッチ時にトンネル設定処理が行われるとして説明する。
【００５５】
最初に、ＵＥ１０ｄからＭＭＥ１３に対して、アタッチ要求が送信される（ステップＳ５１）。当該アタッチ要求には、例えば、ＵＥ１０ｄのＩＭＳＩと、ＵＥ１０ｄのＩＰアドレス（「IP_UE4」）と、ｅＮＢ１１ｃのｅＮＢ名（「eNB3」）とが含まれている。当該アタッチ要求に含まれたＩＭＳＩ及びＩＰアドレスは、ＵＥ１０ｄを一意に特定するＩＤとしての役割を果たしている。ＩＰアドレスをＵＥのＩＤとして用いるためには、例えばＵＥにＩｐｖ６アドレスを固定割付けする。
【００５６】
そして、ＭＭＥ１３の認証管理機能によって、ＵＥ１０ｄの端末認証が行われる（ステップＳ５２）。ＵＥ１０ｄの認証情報は、ＭＭＥ１３からＨＳＳ１４に送信される。そして、ＭＭＥ１３からＨＳＳ１４に対して位置登録情報が送信される（ステップＳ５３）。当該位置登録情報には、例えば、ＵＥ１０ｄのＩＰアドレス（「IP_UE4」）と、トラッキングエリア（ＴＡ：Tracking Area）と、ｅＮＢ１１ｃのｅＮＢ名（「eNB3」）とが含まれている。
【００５７】
同様に、ＵＥ１０ａからＭＭＥ１３に対して、アタッチ要求が送信される（ステップＳ５４）。当該アタッチ要求には、例えば、ＵＥ１０ａのＩＭＳＩと、ＵＥ１０ａのＩＰアドレス（「IP_UE1」）と、ｅＮＢ１１ａのｅＮＢ名（「eNB1」）とが含まれている。そして、ＭＭＥ１３の認証管理機能によって、ＵＥ１０ａの端末認証が行われる（ステップＳ５５）。ＵＥ１０ａの認証情報は、ＭＭＥ１３からＨＳＳ１４に送信される。そして、ＭＭＥ１３からＨＳＳ１４に対して位置登録情報が送信される（ステップＳ５６）。当該位置登録情報には、例えば、ＵＥ１０ａのＩＰアドレス（「IP_UE1」）と、トラッキングエリア（ＴＡ：Tracking Area）と、ｅＮＢ１１ａのｅＮＢ名（「eNB1」）とが含まれている。
【００５８】
つづいて、ＵＥ１０ａからＭＭＥ１３に対して、接続要求が送信される（ステップＳ５７）。当該接続要求には、例えば、接続を要求する相手先のＵＥ１０ｄのＩＰアドレス（「IP_UE4」）が含まれている。そして、ＭＭＥ１３からＨＳＳ１４に対して、相手先のＵＥ１０ｄが在圏するノードを問い合わせる在圏ノードアドレス問合せが送信される（ステップＳ５８）。当該在圏ノードアドレス問合せには、例えば、接続を要求する相手先のＵＥ１０ｄのＩＰアドレス（「IP_UE4」）が含まれている。当該在圏ノードアドレス問合せに応じて、ＨＳＳ１４からＭＭＥ１３に対して、ＵＥ１０ｄが在圏するノードを通知する在圏ノードアドレス応答が送信される（ステップＳ５９）。当該在圏ノードアドレス応答には、例えば、接続を要求する相手先のＵＥ１０ｄのＩＰアドレス（「IP_UE4」）と、ＵＥ１０ｄが在圏するｅＮＢ１１ｃのｅＮＢ名（「eNB3」）とが含まれている。
【００５９】
つづいて、ＭＭＥ１３からＳＤＮ−Ｃ１２に対してトンネル設定要求が送信される（ステップＳ６０）。当該トンネル設定要求には、トンネルＴＬを設定する区間のｅＮＢであるｅＮＢ１１ａ，１１ｃを示すｅＮＢ名（「eNB1」「eNB3」）が含まれている。そして、ＳＤＮ−Ｃ１２の設定部１２３によりトンネル設定処理が行われる（ステップＳ６１）。具体的には、設定部１２３により、上述したテーブル設定装置特定処理と、テーブル作成処理と、テーブル出力処理とが行われる。すなわち、テーブル設定装置特定処理において、取得部１２２が取得した情報、及び、記憶部１２１が記憶するテーブルに基づき、ｅＮＢ１１ａ，１１ｃと、ＣＮ１５ｃのＥＲＰ−ＳＷ１５１ｃ及びＯＡＤＭ１５２ｃと、ＣＮ１５ｄのＥＲＰ−ＳＷ１５１ｄ及びＯＡＤＭ１５２ｄとが、トンネルＴＬ設定区間の装置として特定される。また、テーブル作成処理において、上述したトンネルＴＬ設定区間の装置に設定されるテーブルが作成される。更に、テーブル出力処理において、上述したトンネルＴＬ設定区間の装置に対して、テーブル作成処理にて作成した各テーブルが設定される。
【００６０】
Ｓ６１のトンネル設定処理が行われることにより、ｅＮＢ１１ａ〜ＣＮ１５ｃ〜ＣＮ１５ｄ〜ｅＮＢ１１ｄ間のトンネルＴＬが確立される（ステップＳ６２）。その後、ＳＤＮ−Ｃ１２からＭＭＥ１３に対してトンネル設定応答が送信される（ステップＳ６３）。当該トンネル設定応答には、トンネルＴＬを一意に特定する識別子であるトンネルＩＤが含まれている。
【００６１】
つづいて、ＭＭＥ１３から、トンネルＴＬに係るｅＮＢであるｅＮＢ１１ａ，１１ｃに対して無線ベアラ設定要求が送信される（ステップＳ６４）。当該無線ベアラ設定要求には、上述したトンネルＩＤが含まれている。そして、ｅＮＢ１１ａからＵＥ１０ａに対して無線ベアラ設定要求が送信されるとともに、ｅＮＢ１１ｃからＵＥ１０ｄに対して無線ベアラ設定要求が送信される（ステップＳ６５）。当該無線ベアラ設定要求に応じて、ＵＥ１０ａからｅＮＢ１１ａに対して無線ベアラ設定応答が送信されるとともに、ＵＥ１０ｄからｅＮＢ１１ｃに対して無線ベアラ設定応答が送信される（ステップＳ６６）。当該無線ベアラ設定応答により、無線ベアラとトンネルＴＬとの対応が設定され（ステップＳ６７）、ＵＥ１０ａ〜ＵＥ１０ｄで通信が行われる際の伝送経路が確立される（ステップＳ６８）。
【００６２】
次に、図１０を参照して、トンネルＴＬを利用した通信処理の一例を説明する。図１０は、トンネルＴＬを利用した通信処理を示すシーケンス図である。図１０では、トンネルＴＬを利用し、ＵＥ１０ａからＵＥ１０ｄに対してパケットが送信される例を示している。
【００６３】
最初に、ＵＥ１０ａにおいて、送信するユーザパケット（図６（ａ）参照）が無線フレーム１（図６（ｂ）参照）に変換される（ステップＳ１）。当該無線フレーム１への変換は、予めＵＥ１０ａが記憶している無線フレーム変換テーブルＴ１（図７（ａ）参照）に基づき行われる。つづいて、ＵＥ１０ａからｅＮＢ１１ａに対して無線フレーム１が送信される（ステップＳ２）。
【００６４】
つづいて、ｅＮＢ１１ａにおいて、無線フレーム１がイーサネットフレーム（図６（ｃ）参照）に変換される（ステップＳ３）。当該イーサネットフレームへの変換は、ＳＤＮ−Ｃ１２により設定されたイーサネットフレーム変換テーブルＴ２（図７（ｂ）参照）が参照されることにより行われる。そして、ｅＮＢ１１ａからＣＮ１５ｃのＥＲＰ−ＳＷ１５１ｃに対してパケットが転送される（ステップＳ４）。当該パケットは、ＳＤＮ−Ｃ１２により設定された転送判定テーブルＴ７（図７（ｇ）参照）が参照されることにより特定された所定のポートから転送される。
【００６５】
つづいて、イーサネットフレームを受信したＥＲＰ−ＳＷ１５１ｃにおいて、イーサネットフレームのカプセル化処理が行われ、カプセル化イーサネットフレーム（図６（ｄ）参照）が生成される（ステップＳ５）。当該カプセル化処理は、ＳＤＮ−Ｃ１２により設定されたカプセル化テーブルＴ３（図７（ｃ）参照）が参照されることにより行われる。更に、ＥＲＰ−ＳＷ１５１ｃにおいて、カプセル化イーサネットフレームがＯＴＮフレーム（図６（ｅ）参照）に変換される（ステップＳ６）。当該ＯＴＮフレームへの変換は、ＳＤＮ−Ｃ１２により設定されたＯＴＮフレーム変換テーブルＴ４（図７（ｄ）参照）が参照されることにより行われる。そして、ＥＲＰ−ＳＷ１５１ｃからＯＡＤＭ１５２ｃに対してＯＴＮフレームが出力される（ステップＳ７）。
【００６６】
つづいて、ＯＴＮフレームを受信したＯＡＤＭ１５２ｃにおいて、光信号波長設定処理が行われ（ステップＳ８）、ＣＮ１５ｄのＯＡＤＭ１５２ｄに送信される光信号の波長が設定される。当該光信号は、ＯＴＮフレームを含むとともに、所定の送信波長（「λ1」）が設定された信号である（図６（ｆ）参照）。光信号波長設定処理は、ＳＤＮ−Ｃ１２により設定された送信波長設定テーブルＴ５（図７（ｅ）参照）が参照されることにより行われる。そして、ＯＡＤＭ１５２ｃからＯＡＤＭ１５２ｄに対して、所定の送信波長（「λ1」）の光信号が送信される（ステップＳ９）。ＯＡＤＭ１５２ｃでは、ＳＤＮ−Ｃ１２により設定された光送信設定情報Ｔ９（図７（ｉ）参照）に基づき、所定のポートに入力された電気信号が、所定の送信波長の光信号に変換され、所定のポートから出力される。
【００６７】
つづいて、上記光信号を受信したＯＡＤＭ１５２ｄでは、分波処理が行われ（ステップＳ１０）、ＯＴＮフレームがＥＲＰ−ＳＷ１５１ｄに送信される（ステップＳ１１）。すなわち、ＯＡＤＭ１５２ｄでは、ＳＤＮ−Ｃ１２により設定された光受信設定情報Ｔ１０（図７（ｊ）参照）に基づき、所定のポートに入力された所定の受信波長の光信号が、電気信号に戻され所定のポートから出力される。なお光信号からＯＴＮフレームへの変換処理（逆変換処理）では、上述した光信号波長設定処理と同様、送信波長設定テーブルＴ５（図７（ｅ）参照）が用いられる。
【００６８】
そして、ＥＲＰ−ＳＷ１５１ｄにおいて、ＯＴＮフレームがカプセル化イーサネットフレームに変換される（ステップＳ１２）。ＯＴＮフレームからカプセル化イーサネットフレームへの変換処理（逆変換処理）では、カプセル化イーサネットフレームからＯＴＮフレームへの変換処理と同様、ＯＴＮフレーム変換テーブルＴ４（図７（ｄ）参照）が用いられる。更に、ＥＲＰ−ＳＷ１５１ｄにおいて、カプセル化イーサネットフレームがイーサネットフレームに変換される、デカプセル化処理が行われる（ステップＳ１３）。デカプセル化処理では、カプセル化処理と同様、カプセル化テーブルＴ３（図７（ｃ）参照）が用いられる。そして、当該デカプセル化処理後のイーサネットフレームが、ＥＲＰ−ＳＷ１５１ｄからｅＮＢ１１ｃに対して送信される（ステップＳ１４）。ＥＲＰ−ＳＷ１５１ｄは、ＳＤＮ−Ｃ１２により設定された転送判定テーブルＴ８（図７（ｈ）参照）を参照することにより、所定のポートからｅＮＢ１１ｃに対してデカプセル化処理後のイーサネットフレームを出力する。
【００６９】
つづいて、ｅＮＢ１１ｃにおいて、イーサネットフレームが無線フレーム２に変換される（ステップＳ１５）。イーサネットフレームから無線フレーム２への変換はＳＤＮ−Ｃ１２により設定されたイーサネットフレーム変換テーブルＴ６（図７（ｆ）参照）が参照されることにより行われる。そして、変換後の無線フレーム２が、ｅＮＢ１１ｃからＵＥ１０ｄに対して送信される（ステップＳ１６）。ＵＥ１０ｄでは、当該無線フレーム２が受信され（ステップＳ１７）、無線フレーム２がユーザパケットに変換される。以上のようにして、トンネルＴＬを利用した通信処理が実現される。
【００７０】
次に、図１１及び図１２も参照しながら、制御システム１におけるトンネルを利用した通信処理に関して、ハンドオーバ時の処理を説明する。
【００７１】
図１１に示されるように、ｅＮＢ１１ａ〜ＣＮ１５ｃ〜ＣＮ１５ｄ〜ｅＮＢ１１ｃ間のトンネルＴＬが確立されていたとする。そして、ＵＥ１０ｄが移動し、ＵＥ１０ｄが、ｅＮＢ１１ｄのＬＴＥ在圏エリアに在圏することとなった（ハンドオーバが発生した）とする。この場合、新たに、ｅＮＢ１１ａ〜ＣＮ１５ｃ〜ＣＮ１５ｄ〜ＣＮ１５ｅ〜ｅＮＢ１１ｄ間にトンネルＴＬＸを確立し、通信に利用するトンネルを切り替える必要がある。以下では、ハンドオーバ（ＨＯ：Hand Over）時のトンネル設定処理の一例について、図１２を用いて説明する。
【００７２】
処理の前提として、ＵＥ１０ａがｅＮＢ１１ａのＬＴＥ在圏エリアに在圏し、ＵＥ１０ｄがｅＮＢ１１ｃのＬＴＥ在圏エリアに在圏し、ｅＮＢ１１ａ〜ＣＮ１５ｃ〜ＣＮ１５ｄ〜ｅＮＢ１１ｃ間にトンネルＴＬが確立されているとする（ステップＳ１０１）。また、ＵＥ１０ａ〜ｅＮＢ１１ａ間において無線ベアラが確立されており（ステップＳ１０２）、ＵＥ１０ｄ〜ｅＮＢ１１ｃ間において無線ベアラが確立されているとする（ステップＳ１０３）。
【００７３】
そして、ＵＥ１０ｄからの無線品質報告に基づき、ｅＮＢ１１ｃにおいて無線切替えの実施判断（ＨＯ判断）が行われる（ステップＳ１０４）。Ｓ１０４において、ＵＥ１０ｄがｅＮＢ１１ｄにハンドオーバすることが必要であると判断された場合には、ｅＮＢ１１ｃからｅＮＢ１１ｄに対してハンドオーバ要求（ＨＯ要求）が送信される（ステップＳ１０５）。
【００７４】
つづいて、ｅＮＢ１１ｄからＭＭＥ１３に対してトンネル設定要求が送信され（ステップＳ１０６）、更にＭＭＥ１３からＳＤＮ−Ｃ１２に対してトンネル設定要求が送信される（ステップＳ１０７）。当該トンネル設定要求には、新たなトンネルＴＬＸを設定する区間のｅＮＢであるｅＮＢ１１ａ，１１ｄを示す情報（変更後の利用無線基地局を示す情報）と、現時点で確立されているトンネルＴＬが設定された区間のｅＮＢであるｅＮＢ１１ａ，１１ｃを示す情報（変更前の利用無線基地局を示す情報）とが含まれている。そして、ＳＤＮ−Ｃ１２の取得部１２２により、上記変更前後の利用無線基地局を示す情報が取得され、ＳＤＮ−Ｃ１２の設定部１２３により転送用トンネル設定処理が行われる（ステップＳ１０８）。なお、トンネル設定要求には、新たなトンネルＴＬＸを設定する区間のｅＮＢを示す情報のみが含まれ、現時点で確立されているトンネルＴＬが設定された区間のｅＮＢを示す情報が含まれていなくてもよい。この場合、取得部１２２は、現時点で確立されているトンネルＴＬが設定された区間のｅＮＢを示す情報を予め特定（取得）しておくことにより、変更前後の利用無線基地局を示す情報を取得する。
【００７５】
上述した転送用トンネル設定処理では、設定部１２３により、変更前後の利用無線基地局間を結ぶ転送用トンネルＴＬＴが設定される。すなわち、設定部１２３により、ハンドオーバ前（変更前）にＵＥ１０ｄが在圏するｅＮＢ１１ｃ、ハンドオーバ後（変更後）にＵＥ１０ｄが在圏するｅＮＢ１１ｄ、及びｅＮＢ１１ｃ，１１ｄに接続されたＣＮ１５ｅに対して、ｅＮＢ１１ｃが受信するパケットがｅＮＢ１１ｄに転送されるように転送用のテーブルが設定される。これにより、ｅＮＢ１１ｃ〜ＣＮ１５ｅ〜ｅＮＢ１１ｄ間に転送用トンネルＴＬＴが確立される（ステップＳ１０９）。
【００７６】
つづいて、ＳＤＮ−Ｃ１２の設定部１２３により新トンネル設定処理が行われる（ステップＳ１１０）。新トンネル設定処理では、設定部１２３により、変更後の利用無線基地局間を結ぶトンネルＴＬＸが設定される。すなわち、設定部１２３により、ハンドオーバ後（変更後）の利用無線基地局であるｅＮＢ１１ａ，１１ｄ、及び、ｅＮＢ１１ａ，１１ｄ間において接続されたＣＮ１５ｃ，１５ｄ，１５ｅに対して、テーブル作成処理にて作成した各テーブルが設定される。Ｓ１１０の新トンネル設定処理が行われることにより、ｅＮＢ１１ａ〜ＣＮ１５ｃ〜ＣＮ１５ｄ〜ＣＮ１５ｅ〜ｅＮＢ１１ｄ間にトンネルＴＬＸが確立される（ステップＳ１１１）。
【００７７】
つづいて、ｅＮＢ１１ｄからｅＮＢ１１ｃに対してハンドオーバ応答（ＨＯ応答）が送信される（ステップＳ１１２）。当該ＨＯ応答に応じて、ｅＮＢ１１ｃからＵＥ１０ｄに対して無線接続再構成指示が送信される（ステップＳ１１３）。そして、ｅＮＢ１１ｃからｅＮＢ１１ｄに対して、ＵＥ１０ｄとの無線通信に関するデータが転送され（ステップＳ１１４）、当該データがｅＮＢ１１ｄにおいて記憶される（ステップＳ１１５）。その後、ＵＥ１０ｄ〜ｅＮＢ１１ｄ間において新無線ベアラが確立される（ステップＳ１１６）。
【００７８】
つづいて、ｅＮＢ１１ｄからＭＭＥ１３に対してトンネル切替要求が送信され（ステップＳ１１７）、更に、ＭＭＥ１３からＳＤＮ−Ｃ１２に対してトンネル切替要求が送信され（ステップＳ１１８）、ＳＤＮ−Ｃ１２からｅＮＢ１１ａに対してトンネル切替要求が送信される（ステップＳ１１９）。そして、ＳＤＮ−Ｃ１２からＭＭＥ１３に対してトンネル切替応答が送信され（ステップＳ１２０）、更にＭＭＥ１３からｅＮＢ１１ｄに対してトンネル切替応答が送信される（ステップＳ１２１）。最後に、ｅＮＢ１１ｄからｅＮＢ１１ｃに対して、ＵＥ１０ｄの情報開放要求が送信され（ステップＳ１２２）、ハンドオーバ処理が完了する。
【００７９】
次に、制御システム１におけるＳＤＮ−Ｃ１２の作用効果について説明する。
【００８０】
従来、ＵＥ間の通信は、インターネット等の外部のネットワークに接続するための交換機を経由して行われている。例えば、図１３に示す比較例に係る制御システムでは、ＵＥ１０ａ及びＵＥ１０ｄ間の通信において、ＵＥ１０ａから送信されたパケットは、ＵＥ１０ａが在圏するｅＮＢ１１ａ及びＣＮ１５ｃ，１５ａを介して、ＳＰＧＷ２００に送信される。そして、ＳＰＧＷ２００で折り返されたパケットが、ＣＮ１５ａ，１５ｄ、及び、ＵＥ１０ｄが在圏するｅＮＢ１１ｃを介して、ＵＥ１０ｄに到達する。このように、ＵＥ１０ａ及びＵＥ１０ｄ間の通信は、必ず、インターネット等の外部のネットワークに接続するための交換機（ＳＰＧＷ２００）を経由して行われることとなる。このことにより、経路が冗長となり、ＵＥ１０ａ及びＵＥ１０ｄ間における低遅延通信を十分に実現することができない。
【００８１】
この点、本実施形態の制御システム１におけるＳＤＮ−Ｃ１２では、記憶部１２１が記憶する、各装置の識別子テーブル及び各装置相互の接続関係テーブルと、取得部１２２が取得する、ＵＥ１０ａ，１０ｄそれぞれが利用するｅＮＢ１１ａ，１１ｃを示す情報とに基づき、設定部１２３が、ｅＮＢ１１ａ，１１ｃ間を結ぶトンネルＴＬを設定する。ｅＮＢ１１ａ，１１ｃ間にトンネルＴＬが設定されることにより、当該トンネルＴＬを利用して、ＵＥ１０ａ，１０ｄ間の通信を行うことが可能となる。トンネルＴＬを利用した通信においては、インターネット等の外部のネットワークに接続するための交換機を経由しないため、ＵＥ１０ａ，１０ｄ間の通信経路を短縮化することができる。このことで、ＵＥ１０ａ，１０ｄ間の通信を低遅延で実現することができる。すなわち、Ｐ２Ｐ通信に適した通信を実現することができるとともに、触覚を伝達する触覚通信や、車両の衝突を回避するマシン制御通信等に適した低遅延通信を実現することができる。
【００８２】
また、ＳＤＮ−Ｃ１２の設定部１２３は、ｅＮＢ１１ａ，１１ｃ、及び、ｅＮＢ１１ａ，１１ｃ間の接続を中継するＣＮ１５ｃ，１５ｄに対して、ｅＮＢ１１ａ，１１ｃ間の通信における経路を示す各種テーブルを設定している。このことにより、ｅＮＢ１１ａ，１１ｃ間を結ぶトンネルＴＬを簡易且つ確実に設定することができる。
【００８３】
また、ＳＤＮ−Ｃ１２の設定部１２３は、ＵＥ１０ａからｅＮＢ１１ａに向かって送信される無線フレーム１の無線チャネル（詳細には無線チャネルに対応付いた識別子である無線リンク識別子）と、ｅＮＢ１１ａの対向の無線基地局であるｅＮＢ１１ｄを示す情報（宛先ｅＮＢ識別子）とを対応付けたイーサネットフレーム変換テーブルＴ２（マッピング情報）を作成し、当該イーサネットフレーム変換テーブルＴ２をｅＮＢ１１ａに設定している。これにより、ＵＥ１０ａから送信される無線フレームの無線チャネルに応じてトンネルＴＬが設定されるので、トンネルＴＬを利用したＵＥ１０ａ，１０ｄの通信を確実に実現することができる。また、マッピング情報が設定されることにより、同一のｅＮＢを利用するＵＥ間で通信が行われる場合には、当該ｅＮＢで折り返すようにしてＵＥ間の通信を行うことが可能となる。このことにより、ＵＥ間の通信をより低遅延で実現することができる。
【００８４】
また、ＳＤＮ−Ｃ１２の取得部１２２は、ＵＥ１０ａからＵＥ１０ｄに対して接続要求があった場合に、ｅＮＢ１１ａ，１１ｃを示す情報を取得し、設定部１２３は、ｅＮＢ１１ａ，１１ｃを結ぶトンネルＴＬを設定している。これにより、複数のＵＥ間で通信が開始される際にトンネルＴＬが設定されることとなる。このことで、複数のＵＥ間の通信において、確実にトンネルＴＬを利用することができる。
【００８５】
また、ハンドオーバ要求があった場合に、ＳＤＮ−Ｃ１２の取得部１２２が、ハンドオーバ前後のｅＮＢ（利用無線基地局）を示す情報を取得し、設定部１２３が、ハンドオーバ前後のｅＮＢ１１ｃ，１１ｄ間を結ぶ転送用トンネルＴＬＴを設定した後に、ハンドオーバ後のｅＮＢ１１ａ，１１ｄ間を結ぶトンネルＴＬＸを設定してもよい。これにより、ハンドオーバが発生した場合において、ハンドオーバ前のｅＮＢ１１ｃからハンドオーバ後のｅＮＢ１１ｄへデータを転送する転送用トンネルＴＬＴが設定された後に、ハンドオーバ後のｅＮＢ１１ａ，１１ｄ間に新たなトンネルＴＬＸが設定されることとなる。これにより、ハンドオーバが発生した場合においても、適切に新たなトンネルＴＬＸを設定することができる。また、転送用トンネルＴＬＴが設定されることにより、ハンドオーバに伴ってトンネルが切り替わる場合においても、ＵＥ間のデータ通信を確実に行うことができる。なお、転送用トンネルＴＬＴは必ずしも設定されなくてもよい。この場合、取得部１２２は、最低限、ハンドオーバ後のｅＮＢ１１ａ，１１ｄを示す情報を取得すればよい。
【００８６】
以上、本発明の実施形態について説明したが本発明は上記実施形態に限定されない。
【００８７】
例えば、トンネルＴＬ区間には複数のＣＮが含まれているとして説明したがこれに限定されず、トンネルには複数のｅＮＢのみが含まれていてもよい。すなわち、ＳＤＮ−Ｃ１２は、トンネルの設定において、ｅＮＢにのみ、経路を示す情報を設定するものであってもよい。
【００８８】
また、接続要求には、接続を要求する相手先のＵＥのＩＰアドレスが含まれるとして説明したが、ＩＰアドレス以外の情報要素として、接続形態を示す情報が含まれていてもよい。接続形態を示す情報とは、例えば、無線基地局間を結ぶトンネルにより接続を行うか、或いは、図１３に示す比較例に係る制御システムのようにインターネット等の外部のネットワークに接続するための交換機を経由するルートにより接続を行うか、を示す情報である。この場合、ＭＭＥ１３において、接続要求に含まれる、接続形態を示す情報に基づき、無線基地局間を結ぶトンネルにより接続を行うか、或いは、インターネット等の外部のネットワークに接続するための交換機を経由するルートにより接続を行うかを判定してもよい。
【符号の説明】
【００８９】
１…制御システム、１２…ＳＤＮ−Ｃ、１２１…記憶部、１２２…取得部、１２３…設定部、Ｔ１…無線フレーム変換テーブル、Ｔ２…イーサネットフレーム変換テーブル、Ｔ３…カプセル化テーブル、Ｔ４…ＯＴＮフレーム変換テーブル、Ｔ５…送信波長設定テーブル、Ｔ６…イーサネットフレーム変換テーブル、Ｔ７，Ｔ８…転送判定テーブル、Ｔ９…光送信設定情報、Ｔ１０…光受信設定情報、ＴＬ，ＴＬＸ…トンネル。
【図１】
2017017375.tif 000003
【図２】
2017017375.tif 000004
【図３】
2017017375.tif 000005
【図４】
2017017375.tif 000006
【図５】
2017017375.tif 000007
【図６】
2017017375.tif 000008
【図７】
2017017375.tif 000009
【図８】
2017017375.tif 000010
【図９】
2017017375.tif 000011
【図１０】
2017017375.tif 000012
【図１１】
2017017375.tif 000013
【図１２】
2017017375.tif 000014
【図１３】
2017017375.tif 000015